【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
イメージングシステムであって、
対応するピクセル値を有する複数のピクセルを備える入力画像を受信することと、前記入力画像を定義されたサイズに拡大し、前記入力画像の各ピクセル間に定義された数のピクセルを補間することによって、アップスケールされた出力画像を生成することとを行うように構成された、画像アップスケーリングモジュールと、
前記入力画像の前記ピクセルのピクセル値における差分を増幅することによって、シャープ化された画像を生成するように構成された、シャープ化モジュールと、
シャープ化アップスケーリングモジュールであって、
前記シャープ化された画像を前記定義されたサイズに拡大し、前記シャープ化された画像の各ピクセル間に前記定義された数のピクセルを補間することによって、前記シャープ化された画像をアップスケールすることと、
第１のデルタ画像を生成することと、ここで、前記第１のデルタ画像の各ピクセルが、前記アップスケールされた出力画像の各ピクセルに対応し、前記第１のデルタ画像の各ピクセルが、第１の利得係数を乗じた前記アップスケールされたシャープ化された画像と前記アップスケールされた出力画像との間のピクセル値における第１の変化を備える、
第２のデルタ画像を生成することと、ここで、前記第２のデルタ画像の各ピクセルが、前記アップスケールされた出力画像の各ピクセルに対応し、前記第２のデルタ画像の各ピクセルが、前記第１の利得係数とは異なる第２の利得係数を乗じた前記アップスケールされたシャープ化された画像と前記アップスケールされた出力画像との間のピクセル値における第２の変化を備える、
第３のデルタ画像を生成することと、ここで、前記第３のデルタ画像の各ピクセルが、前記アップスケールされた出力画像の各ピクセルに対応し、前記第３のデルタ画像の各ピクセルが、少なくとも前記第１のデルタ画像と前記第２のデルタ画像とをともに加算することに基づく、ピクセル値における第３の変化を備える
を行うように構成された、シャープ化アップスケーリングモジュールと、
前記アップスケールされた出力画像と前記第３のデルタ画像との前記対応するピクセルの前記ピクセル値を加算することに基づいて、向上された画像を生成するように構成された、処理モジュールと
を備える、イメージングシステム。
【請求項２】
前記第１の利得係数が、前記第２の利得係数よりも大きい、請求項１に記載のシステム。
【請求項３】
前記第１のデルタ画像のピクセルと、前記アップスケールされた出力画像の対応するピクセルとの和が、前記画像のピクセル値の極大値よりも大きいとき、前記第１のデルタ画像の前記ピクセルが、第１のハロー低減係数によって低減される、請求項２に記載のシステム。
【請求項４】
前記第１のデルタ画像のピクセルと、前記アップスケールされた出力画像の対応するピクセルとの和が、前記画像のピクセル値の極小値未満であるとき、前記第１のデルタ画像の前記ピクセルが、第２のハロー低減係数によって増大される、請求項２に記載のシステム。
【請求項５】
前記画像を撮影するように構成されたカメラ、および前記画像を記憶するように構成されたメモリのうちの少なくとも１つをさらに備える、請求項１に記載のシステム。
【請求項６】
前記画像アップスケーリングモジュールが、前記アップスケールされた出力画像の各ピクセルに関連付けられたエッジ強度を生成するようにさらに構成される、請求項１に記載のシステム。
【請求項７】
前記第３のデルタ画像の前記生成が、前記第１のデルタ画像および前記第２のデルタ画像の加重平均に基づく、請求項６に記載のシステム。
【請求項８】
前記加重平均が、前記エッジ強度にさらに基づく、請求項７に記載のシステム。
【請求項９】
ピクセル値における差分を増幅することが、ハイパスフィルタを使用することを備える、請求項１に記載のシステム。
【請求項１０】
イメージング方法であって、
複数のピクセルを備える画像を受信することと、ここにおいて、各ピクセルが対応するピクセル値を有する、
前記画像を定義されたサイズに拡大し、前記画像の各ピクセル間に定義された数のピクセルを補間することによって、アップスケールされた出力画像を生成することと、
前記画像の前記ピクセルのピクセル値における差分を増幅することによって、シャープ化された画像を生成することと、
前記シャープ化された画像を前記定義されたサイズに拡大し、前記シャープ化された画像の各ピクセル間に前記定義された数のピクセルを補間することによって、前記シャープ化された画像をアップスケールすることと、
第１のデルタ画像を生成することと、ここにおいて、前記第１のデルタ画像の各ピクセルが、前記アップスケールされた出力画像の各ピクセルに対応し、前記第１のデルタ画像の各ピクセルが、少なくとも、第１の利得係数を乗じた前記アップスケールされたシャープ化された画像と前記アップスケールされた出力画像との間の差分に基づく、ピクセル値における第１の変化を備え、前記第１の利得係数は、前記アップスケールされたシャープ化された画像のピクセルの強度を調整するように構成される、
第２のデルタ画像を生成することと、ここにおいて、前記第２のデルタ画像の各ピクセルが、前記アップスケールされた出力画像の各ピクセルに対応し、前記第２のデルタ画像の各ピクセルが、少なくとも、前記第１の利得係数とは異なり、また前記アップスケールされたシャープ化された画像のピクセルの強度を調整するように構成された第２の利得係数を乗じた前記アップスケールされたシャープ化された画像と前記アップスケールされた出力画像との間の差分に基づく、ピクセル値における第２の変化を備える、
第３のデルタ画像を生成することと、ここにおいて、前記第３のデルタ画像の各ピクセルが、前記アップスケールされた出力画像の各ピクセルに対応し、前記第３のデルタ画像の各ピクセルが、少なくとも前記第１のデルタ画像と前記第２のデルタ画像とをともに加算することに基づく、ピクセル値における第３の変化を備える、
前記アップスケールされた出力画像と前記第３のデルタ画像との前記対応するピクセルの前記ピクセル値を加算することに基づいて、向上された画像を生成することと
を備える、イメージング方法。
【請求項１１】
前記第１の利得係数が、前記第２の利得係数よりも大きい、請求項１０に記載の方法。
【請求項１２】
前記第１のデルタ画像のピクセルと、前記アップスケールされた出力画像の対応するピクセルとの和が、前記画像のピクセル値の極大値よりも大きいとき、第１のハロー低減係数によって、前記第１のデルタ画像の前記ピクセルを低減することをさらに備える、請求項１１に記載の方法。
【請求項１３】
前記第１のデルタ画像のピクセルと、前記アップスケールされた出力画像の対応するピクセルとの和が、前記画像のピクセル値の極小値未満であるとき、第２のハロー低減係数によって、前記第１のデルタ画像の前記ピクセルを増大することをさらに備える、請求項１１に記載の方法。
【請求項１４】
カメラを用いて前記画像を生成することと、メモリ中に前記画像を記憶することとのうちの少なくとも１つをさらに備える、請求項１０に記載の方法。
【請求項１５】
アップスケールされた出力画像を生成することが、前記アップスケールされた出力画像の各ピクセルに関連付けられたエッジ強度を生成することをさらに備える、
前記第３のデルタ画像の前記生成が、前記第１のデルタ画像および前記第２のデルタ画像の加重平均に基づく、
前記加重平均が、前記エッジ強度にさらに基づく、および／または、
ピクセル値における差分を増幅することが、ハイパスフィルタを使用することを備える、請求項１０に記載の方法。